(57)【特許請求の範囲】
【請求項１】
移動端末ごとのＴＡ（Ｔｉｍｉｎｇ  Ａｄｊｕｓｔｍｅｎｔ）値の算出を行う基地局において、
前記移動端末から送信される参照信号を受信する受信部と、
前記受信部によって受信された参照信号に基づいて、前記移動端末に設定された測定間隔で周期的に前記算出を行う測定部と、
前記測定部によって算出されたＴＡ値が所定値より大きい移動端末の前記測定間隔に第一間隔を設定し、前記ＴＡ値が前記所定値以下である移動端末の前記測定間隔に前記第一間隔より長い第二間隔を設定する設定部と、
を備えることを特徴とする基地局。
【請求項２】
移動端末ごとのＴＡ（Ｔｉｍｉｎｇ  Ａｄｊｕｓｔｍｅｎｔ）値の算出を行う基地局の品質測定方法において、
前記移動端末から送信される参照信号を受信する受信工程と、
前記受信工程によって受信された参照信号に基づいて、前記移動端末に設定された測定間隔で周期的に前記算出を行う測定工程と、
前記測定工程によって算出されたＴＡ値が所定値より大きい移動端末の前記測定間隔に第一間隔を設定し、前記ＴＡ値が前記所定値以下である移動端末の前記測定間隔に前記第一間隔より長い第二間隔を設定する設定工程と、
を含むことを特徴とする品質測定方法。
【請求項３】
移動端末ごとの通信品質の測定を行う基地局において、
前記移動端末から送信される参照信号を受信する受信部と、
前記受信部によって受信された参照信号に基づいて、前記移動端末に設定された測定間隔で周期的に前記測定を行う測定部と、
前記移動端末の数が相対的に多い場合は、前記移動端末の数が相対的に少ない場合より品質閾値を低く設定する閾値設定部と、
前記測定部によって測定された通信品質と、前記閾値設定部によって設定された品質閾値と、を比較する比較部と、
前記比較部による比較結果に基づいて前記測定間隔を設定する設定部と、
を備えることを特徴とする基地局。
【請求項４】
前記測定部は、前記通信品質として前記参照信号に基づくフェージングを推定することを特徴とする請求項３に記載の基地局。
【請求項５】
移動端末ごとの通信品質の測定を行う品質測定方法において、
前記移動端末から送信される参照信号を受信する受信工程と、
前記受信工程によって受信された参照信号に基づいて、前記移動端末に設定された測定間隔で周期的に前記測定を行う測定工程と、
前記移動端末の数が相対的に多い場合は、前記移動端末の数が相対的に少ない場合より品質閾値を低く設定する閾値設定工程と、
前記測定工程によって測定された通信品質と、前記閾値設定工程によって設定された品質閾値と、を比較する比較工程と、
前記比較工程による比較結果に基づいて前記測定間隔を設定する設定工程と、
を含むことを特徴とする品質測定方法。
【発明の詳細な説明】
【技術分野】
【０００１】
本発明は、移動端末と通信を行う基地局および品質測定方法に関する。
【背景技術】
【０００２】
Ｓｕｐｅｒ３Ｇとも呼ばれるＬＴＥ（Ｌｏｎｇ  Ｔｅｒｍ  Ｅｖｏｌｕｔｉｏｎ）においては、基地局と移動端末との間の上り信号の通信品質を取り扱うＳＲＳ（Ｓｏｕｎｄｉｎｇ  Ｒｅｆｅｒｅｎｃｅ  Ｓｉｇｎａｌ）が用いられる（たとえば、下記特許文献１,参照。）。ＳＲＳは、移動端末からの上り信号の一部に定期的にマッピングされる。基地局は、受信したＳＲＳに基づいて、電力測定、干渉測定、フェージング推定、ＴＡ（Ｔｉｍｉｎｇ  Ａｄｊｕｓｔｍｅｎｔ）値などの通信品質の計算処理を行う。
【先行技術文献】
【特許文献】
【０００３】
【特許文献１】特開２００８−１７７９６５号公報
【特許文献２】特開２００９−０６０５９６号公報
【発明の概要】
【発明が解決しようとする課題】
【０００４】
しかしながら、上述した従来技術では、基地局において通信品質を測定する移動端末の数が増加すると、規定された時間内に通信品質の測定を行うことができなくなる。このため、規定された時間内に処理可能な処理量によって、測定可能な移動端末の数が制限され、通信品質の測定を効率よく行うことができないという問題がある。
【０００５】
開示の基地局および品質測定方法は、上述した問題点を解消するものであり、通信品質の測定を効率よく行うことを目的とする。
【課題を解決するための手段】
【０００６】
上述した課題を解決し、目的を達成するため、開示技術は、移動端末ごとの通信品質の測定を行う基地局において、前記移動端末から送信される参照信号を受信し、受信された参照信号に基づいて、前記移動端末に設定された測定間隔で周期的に前記測定を行い、測定された通信品質に基づいて前記測定間隔を設定することを要件とする。
【発明の効果】
【０００７】
開示の基地局および品質測定方法によれば、通信品質の測定を効率よく行うことができるという効果を奏する。
【図面の簡単な説明】
【０００８】
【図１】実施の形態１にかかる基地局の構成を示すブロック図である。
【図２】図１に示した基地局の動作の一例を示すフローチャートである。
【図３】実施の形態２にかかる基地局の構成を示すブロック図である。
【図４】図３に示したＳＲＳ処理部による処理の順序の一例を示す図である。
【図５】図３に示したｆｄ推定処理部の構成例を示すブロック図である。
【図６】図５に示したｆｄ推定処理部による動作の一例を示すフローチャートである。
【図７】ｆｄ推定処理部による周期的なｆｄ推定処理を示す図（その１）である。
【図８】ｆｄ推定処理部による周期的なｆｄ推定処理を示す図（その２）である。
【図９】ｆｄ推定処理部による周期的なｆｄ推定処理を示す図（その３）である。
【図１０】ｆｄ推定処理部による周期的なｆｄ推定処理を示す図（その４）である。
【図１１】新規に追加されたＵＥの測定間隔を示す図である。
【図１２】ＵＥのｆｄ推定値が変化した場合の処理を示す図である。
【図１３】図３に示したＴＡ算出処理部の構成例を示すブロック図である。
【図１４】図１３に示したＴＡ算出処理部による動作の一例を示すフローチャートである。
【図１５】ＴＡ算出処理部による周期的なＴＡ算出処理を示す図（その１）である。
【図１６】ＴＡ算出処理部による周期的なＴＡ算出処理を示す図（その２）である。
【図１７】ＴＡ算出処理部による周期的なＴＡ算出処理を示す図（その３）である。
【図１８】ＴＡ算出処理部による周期的なＴＡ算出処理を示す図（その４）である。
【図１９】新規に追加されたＵＥの測定間隔を示す図である。
【図２０】ＵＥのＴＡ値が変化した場合の処理を示す図である。
【図２１】実施の形態３にかかるｆｄ推定処理部の構成を示すブロック図である。
【図２２】図２１に示したｆｄ推定処理部の動作の一例を示すフローチャートである。
【図２３】実施の形態３にかかるＴＡ算出処理部の構成を示すブロック図である。
【図２４】図２３に示したＴＡ算出処理部の動作の一例を示すフローチャートである。
【図２５】図２１および図２３に示したテーブル記憶部に記憶されるテーブルの一例を示す図である。
【図２６−１】ＵＥ数に基づく各閾値の変更を示す図（その１）である。
【図２６−２】ＵＥ数に基づく各閾値の変更を示す図（その２）である。
【図２６−３】ＵＥ数に基づく各閾値の変更を示す図（その３）である。
【図２７】実施の形態４にかかるｆｄ推定処理部の構成を示すブロック図である。
【図２８】図２７に示したｆｄ推定処理部の閾値設定動作の一例を示すフローチャートである。
【図２９】実施の形態４にかかるＴＡ算出処理部の構成を示すブロック図である。
【図３０】図２９に示したＴＡ算出処理部の閾値設定動作の一例を示すフローチャートである。
【図３１】図２７および図２９に示したテーブル記憶部に記憶されるテーブルの一例を示す図である。
【図３２】図２７に示したｆｄ推定処理部の動作の一例を示すフローチャートである。
【図３３】図２９に示したＴＡ算出処理部の動作の一例を示すフローチャートである。
【図３４】複数の閾値を用いた測定間隔の変更を示す図である。
【発明を実施するための形態】
【０００９】
以下に添付図面を参照して、開示の基地局および品質測定方法の好適な実施の形態を詳細に説明する。開示の基地局および品質測定方法は、移動端末ごとに設定された測定間隔で周期的に通信品質を測定するとともに、通信品質が比較的高い移動端末に比較的長い測定間隔を設定することで測定処理を時間的に分散させ、通信品質の測定を効率よく行う。
【００１０】
（実施の形態１）
図１は、実施の形態１にかかる基地局の構成を示すブロック図である。図１に示す通信システム１００は、基地局１１０と、ＵＥ＃０〜ＵＥ＃２と、の間で無線通信を行うシステムである。ＵＥ＃０〜ＵＥ＃２は、たとえば携帯電話などの移動通信が可能な移動端末である。ＵＥ＃０〜＃２は、基地局１１０において通信品質を測定するための参照信号（たとえばＳＲＳ）を周期的に基地局１１０へ送信する。
【００１１】
基地局１１０は、ＵＥごとの通信品質の測定を行う。具体的には、基地局１１０は、受信部１１１と、測定部１１２と、比較部１１３と、設定部１１４と、を備えている。以下、ＵＥ＃０〜＃２のうちの受信部１１１、測定部１１２、比較部１１３および設定部１１４の処理対象のＵＥを対象ＵＥと称する。受信部１１１は、対象ＵＥから送信される参照信号を受信する。受信部１１１は、受信した参照信号を測定部１１２へ出力する。
【００１２】
測定部１１２は、受信部１１１から出力された参照信号に基づいて対象ＵＥの通信品質の測定を行う。具体的には、ＵＥ＃０〜ＵＥ＃２のそれぞれには、設定部１１４によって測定間隔が設定されている。測定部１１２は、対象ＵＥの通信品質の測定を、対象ＵＥに設定された測定間隔で周期的に行う。通信品質の測定は、たとえば、フェージング（以下、ｆｄと称する。）推定や、ＴＡ値の算出などである。測定部１１２は、測定した通信品質を比較部１１３へ出力する。
【００１３】
比較部１１３は、測定部１１２から出力された通信品質と品質閾値とを比較する。比較部１１３は、比較結果を設定部１１４へ出力する。設定部１１４は、比較部１１３から出力された比較結果に基づいて測定間隔を設定する。具体的には、設定部１１４は、比較部１１３によって通信品質が品質閾値未満であると判定された場合は対象ＵＥの測定間隔に第一間隔を設定し、通信品質が品質閾値以上であると判定された場合は対象ＵＥの測定間隔に第二間隔を設定する。第二間隔は、第一間隔より長い間隔である。
【００１４】
なお、ここでは測定部１１２によって測定された通信品質を比較部１１３によって品質閾値と比較し、比較結果に基づいて設定部１１４が測定間隔を設定する構成について説明したが、このような構成に限らない。たとえば、設定部１１４は、測定部１１２によって測定された通信品質を取得し、取得した通信品質に基づいて数式などを用いて算出した測定間隔を設定する構成としてもよい。
【００１５】
図２は、図１に示した基地局の動作の一例を示すフローチャートである。基地局１１０は、ＵＥ＃０〜ＵＥ＃２のそれぞれを対象として、たとえば図２に示す各ステップを行う。まず、測定部１１２が、前回の通信品質の測定からの経過時間が対象ＵＥの測定間隔か否かを判断し（ステップＳ２０１）、経過時間が対象ＵＥの測定間隔になるまで待つ（ステップＳ２０１：Ｎｏのループ）。
【００１６】
ステップＳ２０１において経過時間が対象ＵＥの測定間隔になると（ステップＳ２０１：Ｙｅｓ）、測定部１１２が、対象ＵＥの通信品質を測定する（ステップＳ２０２）。つぎに、比較部１１３が、ステップＳ２０２によって測定された通信品質と品質閾値とを比較する（ステップＳ２０３）。
【００１７】
つぎに、設定部１１４が、ステップＳ２０３による比較結果に基づいて、対象ＵＥの測定間隔を設定し（ステップＳ２０４）、ステップＳ２０１に戻る。以上のステップをＵＥ＃０〜ＵＥ＃２について行うことにより、測定された通信品質が比較的高いＵＥについて、測定間隔を長くして測定処理を時間的に分散させることが（以下、負荷分散とも称する。）できる。また、測定対象の通信品質が複数ある場合は、たとえば、以上のステップを測定対象の通信品質ごとに行う。
【００１８】
このように、実施の形態１にかかる基地局１１０によれば、測定された通信品質が比較的高いＵＥについて、測定間隔を長くすることで測定処理を時間的に分散させ、測定処理の頻度を低くすることができる。これにより、測定処理の時間的な余裕を拡大し、通信品質の測定を効率よく行うことができる。また、通信品質が比較的高いＵＥは、通信品質が比較的低いＵＥに比べて通信品質が急激に変化する確率が低い。このため、通信品質が比較的高いＵＥの測定処理の頻度を低くすることで、測定処理の頻度を低くすることによる通信性能の劣化を抑えることができる。
【００１９】
（実施の形態２）
（基地局の構成）
図３は、実施の形態２にかかる基地局の構成を示すブロック図である。図３に示す基地局３００は、たとえばＳ３Ｇ（Ｓｕｐｅｒ  ３Ｇ）の基地局（ｅＮＢやＥｖｏｌｖｅｄ  ＮｏｄｅＢなど）である。基地局３００は、ＵＥ＃０〜ＵＥ＃２との間で通信を行う。
【００２０】
＜基地局のＤＬに関する構成＞
図３においては、基地局３００のＤＬ（Ｄｏｗｎ  Ｌｉｎｋ）に関する構成について説明する。図３に示すように、基地局３００は、無線通信部３０１と、ＣＮＴ部３０２と、ベースバンド処理部３０３と、を備えている。無線通信部３０１は、アンテナやアンプなどを備えており、ＵＥ＃０〜ＵＥ＃２との間で信号を送受信する。たとえば、無線通信部３０１は、ＵＥ＃０〜ＵＥ＃２から受信したＵＬ（Ｕｐ  Ｌｉｎｋ）受信データをＣＮＴ部３０２へ出力する。ＵＬ受信データにはたとえばＳＲＳが含まれる。また、無線通信部３０１は、ＣＮＴ部３０２から出力された送信データをＵＥ＃０〜ＵＥ＃２へ送信する。
【００２１】
ＣＮＴ部３０２は、基地局３００のインタフェース制御を行う。たとえば、ＣＮＴ部３０２は、無線通信部３０１から出力されたＵＬ受信データを、ＩＰ網３５０へ送信するとともにベースバンド処理部３０３へ出力する。また、ＣＮＴ部３０２は、ベースバンド処理部３０３から出力された送信データを無線通信部３０１へ出力する。
【００２２】
ベースバンド処理部３０３は、信号のベースバンド処理を行う。具体的には、ベースバンド処理部３０３は、ＩＦコントロール部３０４と、ＣＰ除去部３０５と、ＵＬスケジューラ３０６と、ＰＵＳＣＨ処理部３０７と、ＰＵＣＣＨ処理部３０８と、ＲＡＣＨ処理部３０９と、ＳＲＳ処理部３１０と、ＤＬスケジューラ３１１と、ＤＬ処理部３１２と、を備えている。
【００２３】
ＩＦコントロール部３０４は、ＣＮＴ部３０２とベースバンド処理部３０３との間の入出力を制御する。たとえば、ＩＦコントロール部３０４は、ＣＮＴ部３０２から出力されたＵＬ受信データをＣＰ除去部３０５およびＵＬスケジューラ３０６へ出力する。また、ＩＦコントロール部３０４は、ＵＬスケジューラから出力された割当情報やＤＬ処理部から出力された送信データなどをＣＮＴ部３０２へ出力する。
【００２４】
ＣＰ除去部３０５は、ＩＦコントロール部３０４から出力されたＵＬ受信データのＣＰ（Ｃｙｃｌｉｃ  Ｐｒｅｆｉｘ）を除去する。ＣＰ除去部３０５は、ＣＰを除去したＵＬ受信データをＰＵＳＣＨ処理部３０７、ＰＵＣＣＨ処理部３０８、ＲＡＣＨ処理部３０９、およびＳＲＳ処理部３１０へ出力する。
【００２５】
ＵＬスケジューラ３０６は、ＵＥ＃０〜ＵＥ＃２のＵＬの通信のスケジューリングを行う。たとえば、ＵＬスケジューラ３０６は、ＩＦコントロール部３０４からのＵＬ受信データや、ＰＵＳＣＨ処理部３０７、ＰＵＣＣＨ処理部３０８、ＲＡＣＨ処理部３０９からの処理結果や、ＳＲＳ処理部３１０からの品質情報に基づいてスケジューリングを行う。
【００２６】
ＵＬスケジューラ３０６は、スケジューリングによって得られた割当情報などを、ＰＵＳＣＨ処理部３０７、ＰＵＣＣＨ処理部３０８およびＳＲＳ処理部３１０へ出力する。割当情報には、たとえばＵＬスケジューラ３０６によってスケジューリングを行う各ＵＥの情報などが含まれている。また、ＵＬスケジューラ３０６は、ＳＲＳ処理部３１０からの品質情報などをＤＬスケジューラ３１１へ出力する。
【００２７】
ＰＵＳＣＨ処理部３０７は、ペイロード処理などのＰＵＳＣＨ（Ｐｈｙｓｉｃａｌ  Ｕｐｌｉｎｋ  Ｓｈａｒｅｄ  ＣＨａｎｎｅｌ）の処理を行い、処理結果をＵＬスケジューラ３０６へ出力する。ＰＵＣＣＨ処理部３０８は、スケジューリングやＡＣＫ／ＮＡＣＫの処理などのＰＵＣＣＨ（Ｐｈｙｓｉｃａｌ  Ｕｐｌｉｎｋ  Ｃｏｎｔｒｏｌ  ＣＨａｎｎｅｌ）の処理を行い、処理結果をＵＬスケジューラ３０６へ出力する。ＲＡＣＨ処理部３０９は、呼設定などのＲＡＣＨ（Ｒａｎｄｏｍ  Ａｃｃｅｓｓ  ＣＨａｎｎｅｌ）の処理を行い、処理結果をＵＬスケジューラ３０６へ出力する。
【００２８】
ＳＲＳ処理部３１０は、ＣＰ除去部３０５から出力されたＵＬ受信データの通信品質に含まれるＳＲＳに基づく通信品質を測定する。また、ＳＲＳ処理部３１０は、たとえばＵＬスケジューラ３０６から出力された割当情報を用いて通信品質を測定する。ＳＲＳ処理部３１０は、測定により得られた品質情報をＵＬスケジューラ３０６へ出力する。
【００２９】
ＤＬスケジューラ３１１は、ＵＬスケジューラ３０６から出力された品質情報などをＵＥ＃０〜ＵＥ＃２へフィードバックするためのスケジューリングを行う。ＤＬスケジューラ３１１は、スケジューリング結果に基づいて、ＵＬスケジューラ３０６から出力された品質情報などをＤＬ処理部３１２へ出力する。ＤＬ処理部３１２は、ＤＬスケジューラ３１１から出力された品質情報などのＤＬ処理を行ってＩＦコントロール部３０４へ出力する。これにより、品質情報などがＵＥ＃０〜ＵＥ＃２へフィードバックされる。
【００３０】
＜ＳＲＳ処理部の構成＞
つぎに、ＳＲＳ処理部３１０の構成について説明する。ＳＲＳ処理部３１０は、受信情報処理部３１３と、ＦＦＴ部３１４と、ｂａｓｅ系列除去部３１５と、ＣＨ推定処理部３１６と、ｆｄ推定処理部３１７と、電力測定部３１８と、ＩＦＦＴ部３１９と、パワー判定処理部３２０と、ＴＡ算出処理部３２１と、処理結果転送部３２２と、を備えている。
【００３１】
受信情報処理部３１３は、ＣＰ除去部３０５から出力されたＵＬ受信データの受信情報処理を行ってＦＦＴ部３１４へ出力する。ＦＦＴ部３１４は、受信情報処理部３１３から出力されたＵＬ受信データを高速フーリエ変換（Ｆａｓｔ  Ｆｏｕｒｉｅｒ  Ｔｒａｎｓｆｏｒｍ）してｂａｓｅ系列除去部３１５へ出力する。
【００３２】
ｂａｓｅ系列除去部３１５は、ＦＦＴ部３１４から出力されたＵＬ受信データのｂａｓｅ系列を除去してＣＨ推定処理部３１６およびＩＦＦＴ部３１９へ出力する。ＣＨ推定処理部３１６およびｆｄ推定処理部３１７においては周波数軸によって処理が行われる（周波数軸処理）。ＣＨ推定処理部３１６は、ｂａｓｅ系列除去部３１５から出力されたＵＬ受信データのチャネル推定を行う。ＣＨ推定処理部３１６は、チャネル推定結果をｆｄ推定処理部３１７および電力測定部３１８へ出力する。
【００３３】
ｆｄ推定処理部３１７は、ＣＨ推定処理部３１６から出力されたチャネル推定結果に基づいてｆｄ推定処理を行う。具体的には、ｆｄ推定処理部３１７は、チャネル推定結果が示す周波数の時系列的な相関を算出することによりｆｄ推定を行う。ｆｄ推定処理部３１７は、ｆｄ推定処理によって得られたｆｄ推定値を処理結果転送部３２２へ出力する。
【００３４】
電力測定部３１８は、ＣＨ推定処理部３１６から出力されたチャネル推定結果に基づいて受信電力の測定を行う。電力測定部３１８は、測定によって得られた受信電力値を処理結果転送部３２２へ出力する。
【００３５】
ＩＦＦＴ部３１９は、ｂａｓｅ系列除去部３１５から出力されたＵＬ受信データを逆高速フーリエ変換（Ｉｎｖｅｒｓｅ  ＦＦＴ）してパワー判定処理部３２０へ出力する。パワー判定処理部３２０およびＴＡ算出処理部３２１においては時間軸によって処理が行われる（時間軸処理）。パワー判定処理部３２０は、ＩＦＦＴ部３１９から出力されたＵＬ受信データのパワー判定処理を行ってＴＡ算出処理部３２１へ出力する。
【００３６】
ＴＡ算出処理部３２１は、パワー判定処理部３２０から出力されたＵＬ受信データに基づくＴＡ算処理を行う。具体的には、ＳＲＳ処理部３１０は、パワー判定処理部３２０から出力されたＵＬ受信データにマッピングされているデータの時間的な位置情報を計算することで、基地局３００とＵＥとの間の同期タイミングのずれを測定する。そして、ＳＲＳ処理部３１０は、測定したずれを補正するためのＴＡ値を算出する。ＴＡ算出処理部３２１は、ＴＡ算処理によって得られたＴＡ値を処理結果転送部３２２へ出力する。
【００３７】
処理結果転送部３２２は、ｆｄ推定処理部３１７から出力されたｆｄ推定値と、電力測定部３１８から出力された受信電力値と、ＴＡ算出処理部３２１から出力されたＴＡ値と、を含むＵＬ受信データの品質情報をＵＬスケジューラ３０６へ出力する。これにより、ｆｄ推定値およびＴＡ値などがＵＥ＃０〜ＵＥ＃２へフィードバックされる。ＵＥ＃０〜ＵＥ＃２は、受信したｆｄ推定値およびＴＡ値に基づいて、基地局３００へＵＬデータを送信するための設定を補正する。
【００３８】
図４は、図３に示したＳＲＳ処理部による処理の順序の一例を示す図である。図４において、横軸は時間を示している。ＳＲＳ処理間隔４０１は、ＳＲＳ処理部３１０における通信品質の測定処理の単位時間（サブフレーム）を示している。受信情報処理４１０は、受信情報処理部３１３による受信情報処理を示している。
【００３９】
受信電力処理４２０は、電力測定部３１８による受信電力の測定処理を示している。ｆｄ推定処理４３０は、ｆｄ推定処理部３１７によるｆｄ推定処理を示している。電力プロファイル処理４４０は、パワー判定処理部３２０によるパワー判定処理を示している。ＴＡ算出処理４５０は、ＴＡ算出処理部３２１によるＴＡ算出処理を示している。転送処理４６０は、処理結果転送部３２２による品質情報の転送処理を示している。
【００４０】
ＳＲＳ処理間隔４０１は、ＳＲＳ処理間隔４０１（１サブフレーム）ごとに、１または複数のＵＥを対象として、受信情報処理４１０、受信電力処理４２０、ｆｄ推定処理４３０、電力プロファイル処理４４０、ＴＡ算出処理４５０および転送処理４６０を行う。ＵＥ＃０〜ＵＥ＃２は、連続するＳＲＳ処理間隔４０１のいずれかに周期的に割り当てられ、割り当てられたＳＲＳ処理間隔４０１において通信品質を測定される。
【００４１】
（ｆｄ推定処理部）
図５は、図３に示したｆｄ推定処理部の構成例を示すブロック図である。図５に示すように、ｆｄ推定処理部３１７は、ｆｄ閾値記憶部５０１と、フラグ記憶部５０２と、処理部５１０Ａ，５１０Ｂ，５１０Ｃ，…と、を備えている。ｆｄ閾値記憶部５０１には、ｆｄ推定値と比較するためのｆｄ閾値が記憶されている。
【００４２】
フラグ記憶部５０２には、ＵＥ＃０，＃１，＃２，…のうちのｆｄ推定値がｆｄ閾値以上であるＵＥについて、測定間隔を長くする負荷分散を行うか否かを示す負荷分散実行フラグが記憶されている。たとえば、負荷分散を行う場合は負荷分散実行フラグが「１」に設定され、負荷分散を行わない場合は負荷分散実行フラグが「０」に設定される。
【００４３】
処理部５１０Ａ，５１０Ｂ，５１０Ｃ，…は、それぞれＵＥ＃０，＃１，＃２，…のｆｄ推定処理を行う処理部である。たとえば、ＵＥ＃０のｆｄ推定処理を行う処理部５１０Ａは、推定値記憶部５１１と、処理タイミング記憶部５１２と、ｆｄ判定部５１３と、処理タイミング判定部５１４と、ｆｄ推定部５１５と、を備えている。推定値記憶部５１１は、ｆｄ推定部５１５から出力されたｆｄ推定値を記憶する。処理タイミング記憶部５１２は、ｆｄ推定部５１５から出力されたｆｄ推定処理の処理タイミングを記憶する。
【００４４】
ｆｄ判定部５１３は、ｆｄ推定値と比較するためのｆｄ閾値をｆｄ閾値記憶部５０１から取得する。ｆｄ判定部５１３は、取得したｆｄ閾値と、推定値記憶部５１１に記憶された前回のｆｄ推定値と、を比較する。そして、ｆｄ判定部５１３は、比較結果に基づいて、ＵＥ＃０が「高ｆｄ」と「低ｆｄ」のいずれであるかを判定する。たとえば、「高ｆｄ」はｆｄ推定値がｆｄ閾値より大きい（通信品質が品質閾値未満）ＵＥであり、「低ｆｄ」はｆｄ推定値がｆｄ閾値以下（通信品質が品質閾値以上）であるＵＥである。
【００４５】
ｆｄ判定部５１３は、ＵＥ＃０が「高ｆｄ」であると判定した場合は測定間隔として第一間隔を処理タイミング判定部５１４へ出力する。また、ｆｄ判定部５１３は、ＵＥ＃０が「低ｆｄ」であると判定した場合は測定間隔として第二間隔を処理タイミング判定部５１４へ出力する。第二間隔は、第一間隔よりも長い周期である。たとえば、第一間隔は２サブフレームの間隔であり、第二間隔は４サブフレームの間隔であるとする。
【００４６】
処理タイミング判定部５１４は、ｆｄ判定部５１３から出力される測定間隔を、ＵＥ＃０のｆｄ推定処理の測定間隔として設定する。処理タイミング判定部５１４は、設定した測定間隔によってｆｄ推定部５１５へトリガ信号を出力する。具体的には、処理タイミング判定部５１４は、処理タイミング記憶部５１２に記憶された前回の処理タイミングから現在までの経過時間が、設定した測定間隔になるごとにトリガ信号を出力する。
【００４７】
ｆｄ推定部５１５は、処理タイミング判定部５１４からトリガ信号が出力されると、ｆｄ推定部５１５から出力されたチャネル推定結果（図３参照）に基づいてＵＥ＃０のｆｄ推定処理を行う。ｆｄ推定部５１５は、ｆｄ推定処理を行うと、ｆｄ推定処理を行った処理タイミングを処理タイミング記憶部５１２へ出力するとともに、ｆｄ推定処理により得られたｆｄ推定値を処理結果転送部３２２および推定値記憶部５１１へ出力する。
【００４８】
たとえばユーザが電車や車両などに乗車しており移動速度が高いＵＥは、ｆｄ推定値が高くなる。また、移動速度が高いＵＥは、ｆｄ推定値の変化量も大きい。一方、たとえばユーザが歩行中であったり自転車に乗っていたりして移動速度が低いＵＥは、ｆｄ推定値が低くなる。また、移動速度が低いＵＥは、ｆｄ推定値の変化量も小さい。
【００４９】
ここでは処理部５１０Ａの構成について説明したが、処理部５１０Ｂ，５１０Ｃ，…についても同様である。これにより、ｆｄ推定処理部３１７は、ＵＥ＃０〜ＵＥ＃２のそれぞれについてｆｄ推定処理を行うことができる。また、処理タイミング記憶部５１２による比較や処理タイミング判定部５１４による測定間隔の設定もＵＥごとに行われる。
【００５０】
図６は、図５に示したｆｄ推定処理部による動作の一例を示すフローチャートである。ｆｄ推定処理部３１７は、ｆｄ推定処理を行うＵＥのそれぞれを対象として（ＵＥ数分）、以下の各ステップを繰り返し行う。以下、処理対象のＵＥを対象ＵＥと称する。まず、ｆｄ判定部５１３が、フラグ記憶部５０２に記憶された負荷分散実行フラグが「１」となっているか否かを判断する（ステップＳ６０１）。負荷分散実行フラグが「１」となっていない場合（ステップＳ６０１：Ｎｏ）は、ステップＳ６０５へ移行する。
【００５１】
ステップＳ６０１において、対象ＵＥの負荷分散実行フラグが「１」となっている場合（ステップＳ６０１：Ｙｅｓ）は、ｆｄ判定部５１３が、対象ＵＥのｆｄ推定処理が２回目以降か否かを判断する（ステップＳ６０２）。ステップＳ６０２においては、たとえば、対象ＵＥのｆｄ推定値が推定値記憶部５１１に記憶されていれば２回目以降であると判断し、記憶されていなければ初回であると判断する。２回目以降のｆｄ推定処理でない場合（ステップＳ６０２：Ｎｏ）は、ステップＳ６０５へ移行する。
【００５２】
ステップＳ６０２において、２回目以降のｆｄ推定処理である場合（ステップＳ６０２：Ｙｅｓ）は、ｆｄ判定部５１３が、対象ＵＥの前回のｆｄ推定値を推定値記憶部５１１から取得する（ステップＳ６０３）。つぎに、ｆｄ判定部５１３が、ステップＳ６０３によって取得されたｆｄ推定値がｆｄ閾値以下か否かを判断する（ステップＳ６０４）。ｆｄ推定値がｆｄ閾値より大きい場合（ステップＳ６０４：Ｎｏ）は、ｆｄ判定部５１３が、対象ＵＥを「高ｆｄ」と判定する（ステップＳ６０５）。
【００５３】
つぎに、処理タイミング判定部５１４が、対象ＵＥの測定間隔に２サブフレームを設定し（ステップＳ６０６）、ステップＳ６０９へ移行する。ｆｄ推定値がｆｄ閾値以下の場合（ステップＳ６０４：Ｙｅｓ）は、ｆｄ判定部５１３が、対象ＵＥを「低ｆｄ」と判定する（ステップＳ６０７）。つぎに、処理タイミング判定部５１４が、対象ＵＥの測定間隔に４サブフレームを設定する（ステップＳ６０８）。
【００５４】
つぎに、処理タイミング判定部５１４が、処理タイミング記憶部５１２から対象ＵＥのｆｄ推定処理の前回の処理タイミングを取得する（ステップＳ６０９）。つぎに、処理タイミング判定部５１４が、ステップＳ６０９によって取得された前回の処理タイミングからの経過時間が、ステップＳ６０６またはステップＳ６０８によって設定された測定間隔であるか否かを判断する（ステップＳ６１０）。
【００５５】
ステップＳ６１０において、前回の処理タイミングからの経過時間が測定間隔でない場合（ステップＳ６１０：Ｎｏ）は、一連の動作を終了する。前回の処理タイミングからの経過時間が測定間隔である場合（ステップＳ６１０：Ｙｅｓ）は、ｆｄ推定部５１５が、対象ＵＥのｆｄ推定処理を行う（ステップＳ６１１）。つぎに、ステップＳ６１１によるｆｄ推定処理によって得られたｆｄ推定値を推定値記憶部５１１に記憶する（ステップＳ６１２）。つぎに、ステップＳ６１１による処理タイミングを処理タイミング記憶部５１２に記憶し（ステップＳ６１３）、一連の動作を終了する。
【００５６】
以上のステップを繰り返し行うことで、ＵＥごとに、前回推定されたｆｄ推定値とｆｄ閾値とを比較し、比較結果に基づいてｆｄ推定処理の測定間隔を設定することができる。具体的には、前回推定されたｆｄ推定値がｆｄ閾値以下である場合は、前回推定されたｆｄ推定値がｆｄ閾値より大きい場合よりもｆｄ推定処理の周期を長くすることができる。したがって、ｆｄ推定値が低いＵＥはｆｄ推定値の測定間隔が相対的に長くなり、ｆｄ推定値が高いＵＥはｆｄ推定値の測定間隔が相対的に短くなる。
【００５７】
図７〜図１０は、ｆｄ推定処理部による周期的なｆｄ推定処理を示す図（その１）〜（その４）である。図７〜図１０において、横軸はＳＲＳ処理回数を示している。縦軸は、ｆｄ推定処理の処理量を示している。ＳＲＳ処理間隔７０１は、図４に示したＳＲＳ処理間隔４０１（１サブフレーム）である。周期Ａ〜Ｅ，…は、ＳＲＳ処理間隔７０１ごとの各周期である。図６に示した各ステップは、たとえばＳＲＳ処理間隔７０１ごとに行われる。最大処理量７０２は、ＳＲＳ処理間隔７０１においてｆｄ推定処理部３１７が処理可能な処理量の上限を示している。
【００５８】
ＵＥ＃０〜＃９は、ｆｄ推定処理部３１７がｆｄ推定処理を行うＵＥである。ＵＥ＃０〜＃９のそれぞれは、初期状態においては２サブフレームの測定間隔でｆｄ推定処理が行われる。たとえば、ＵＥ＃０は、周期Ａ，Ｃ，Ｅ，…においてｆｄ推定処理が行われる。また、ＵＥ＃４は、周期Ｂ，Ｄ，…においてｆｄ推定処理が行われる。
【００５９】
図中の「ＵＥ＃？  低ｆｄ」は、ｆｄ推定値がｆｄ閾値以下と判定されたＵＥのｆｄ推定処理を示している。また、図中の「ＵＥ＃？  高ｆｄ」は、ｆｄ推定値がｆｄ閾値より大きいと判定されたＵＥのｆｄ推定処理を示している。図７に示すように、ＳＲＳ処理間隔７０１にｆｄ推定処理を行うＵＥの数が多いほど、ｆｄ推定処理の処理量が多くなる。
【００６０】
したがって、ｆｄ推定処理の処理量が最大処理量７０２に達するＵＥの数が、ＳＲＳ処理間隔７０１においてｆｄ推定処理を行うことができるＵＥの数の上限となる。たとえば、周期Ｂ，Ｄ，…においては、ｆｄ推定処理を行うＵＥの数が６であり、ｆｄ推定処理の処理量が最大処理量７０２に達している。したがって、周期Ｂ，Ｄ，…においては、これ以上のＵＥのｆｄ推定処理を行うことができない。
【００６１】
図７に示した状態において、処理タイミング判定部５１４は、「低ｆｄ」と判定されたＵＥの測定間隔を長くする。たとえば、処理タイミング判定部５１４は、「低ｆｄ」と判定されたＵＥの測定間隔を２サブフレームから４サブフレームにする。具体的には、ＵＥ＃２，＃３，＃８，＃９は「低ｆｄ」であるため、処理タイミング判定部５１４は、ＵＥ＃２，＃３，＃８，＃９の測定間隔を４サブフレームに設定する。
【００６２】
これにより、図８の符号８０１に示すように、ＵＥ＃２のｆｄ推定処理は周期Ｃ，…において行われなくなる。また、符号８０２に示すように、ＵＥ＃３のｆｄ推定処理は周期Ａ，Ｅ，…において行われなくなる。また、符号８０３に示すように、ＵＥ＃８のｆｄ推定処理は周期Ｄ，…において行われなくなる。また、符号８０４に示すように、ＵＥ＃９のｆｄ推定処理は周期Ｂ，…において行われなくなる。
【００６３】
図９の斜線部９０１〜９０５は、ＵＥ＃２，＃３，＃８，＃９の測定間隔を４サブフレームに設定したことによって生じた処理時間の空きを示している。これにより、たとえば図１０の符号１００１，１００２に示すように、周期Ｂ，Ｄにおいて新規のＵＥ＃１０のｆｄ推定処理を割り当てることが可能になる。
【００６４】
図１１は、新規に追加されたＵＥの測定間隔を示す図である。図１１において、図７〜図１０に示した部分と同様の部分については同一の符号を付して説明を省略する。図１１に示すように、ＵＥ＃０〜＃９のｆｄ推定処理を行っている状態において、新規のＵＥ＃１０を追加する場合について説明する。
【００６５】
たとえば、ＵＥ＃１０のｆｄ推定処理は、符号１１０１に示すように、まず周期Ａに割り当てられる。この場合は、周期Ａにおいて、ＵＥ＃１０のｆｄ推定処理は初回であるため、ＵＥ＃１０は「高ｆｄ」と判定され、測定周期には２サブフレームが設定される。つぎに、周期Ｂにおいて、ＵＥ＃１０が「低ｆｄ」と判定されたとする。
【００６６】
この場合は、ＵＥ＃１０の測定周期に４サブフレームが設定される。したがって、符号１１０２に示すように、周期Ａから２サブフレーム後の周期ＣにおいてはＵＥ＃１０のｆｄ推定処理は行われない。そして、符号１１０３に示すように、周期Ａから４サブフレーム後の周期ＥにおいてＵＥ＃１０のｆｄ推定処理が行われる。
【００６７】
図１２は、ＵＥのｆｄ推定値が変化した場合の処理を示す図である。図１２において、図７〜図１０に示した部分と同様の部分については同一の符号を付して説明を省略する。符号１２０１に示すように、ＵＥ＃２は、周期Ａにおいて「低ｆｄ」と判定されたとする。この場合は、周期ＡのつぎにＵＥ＃２のｆｄ推定処理が行われるのは、符号１２０２に示すように、周期Ａの４サブフレーム後の周期Ｅとなる。
【００６８】
そして、周期Ａと周期Ｅの間でＵＥ＃２のｆｄ推定値が増加し、周期ＥにおいてＵＥ＃２が「高ｆｄ」と判定されたとする。この場合は、周期Ｅにおいて、ＵＥ＃２の測定間隔に２サブフレームが設定される。したがって、周期ＥのつぎにＵＥ＃２のｆｄ推定処理が行われるのは、符号１２０３に示すように、周期Ｅの２サブフレーム後の周期Ｇとなる。
【００６９】
また、周期ＧにおいてもＵＥ＃２が「高ｆｄ」と判定されたとする。この場合は、周期ＧのつぎにＵＥ＃２のｆｄ推定処理が行われるのは、符号１２０４に示すように、周期Ｅの２サブフレーム後の周期Ｉとなる。このように、図６に示した各ステップを繰り返し行うことで、ＵＥのｆｄ推定値が変化しても、ＵＥの測定間隔を動的に設定することができる。このため、各ＵＥのｆｄ推定処理をそれぞれ適切な頻度で行うことができる。
【００７０】
（ＴＡ算出処理部）
図１３は、図３に示したＴＡ算出処理部の構成例を示すブロック図である。図１３に示すように、ＴＡ算出処理部３２１は、ＴＡ閾値記憶部１３０１と、フラグ記憶部１３０２と、処理部１３１０Ａ，１３１０Ｂ，１３１０Ｃ，…と、を備えている。ＴＡ閾値記憶部１３０１には、ＴＡ値と比較するためのＴＡ閾値が記憶されている。
【００７１】
フラグ記憶部１３０２には、ＵＥ＃０，＃１，＃２，…のうちのＴＡ値がＴＡ閾値以上のＵＥについて、測定間隔を長くする負荷分散を行うか否かを示す負荷分散実行フラグが記憶されている。たとえば、負荷分散を行う場合は負荷分散実行フラグが「１」に設定され、負荷分散を行わない場合は負荷分散実行フラグが「０」に設定される。
【００７２】
処理部１３１０Ａ，１３１０Ｂ，１３１０Ｃ，…は、それぞれＵＥ＃０，＃１，＃２，…のＴＡ算出処理を行う処理部である。たとえば、ＵＥ＃０のＴＡ算出処理を行う処理部１３１０Ａは、推定値記憶部１３１１と、処理タイミング記憶部１３１２と、ＴＡ判定部１３１３と、処理タイミング判定部１３１４と、ＴＡ算出部１３１５と、を備えている。推定値記憶部１３１１は、ＴＡ算出部１３１５から出力されたＴＡ値を記憶する。処理タイミング記憶部１３１２は、ＴＡ算出部１３１５から出力されたＴＡ算出処理の処理タイミングを記憶する。
【００７３】
ＴＡ判定部１３１３は、ＴＡ値と比較するためのＴＡ閾値をＴＡ閾値記憶部１３０１から取得する。ＴＡ判定部１３１３は、取得したＴＡ閾値と、推定値記憶部１３１１に記憶された前回のＴＡ値と、を比較する。そして、ＴＡ判定部１３１３は、比較結果に基づいて、ＵＥ＃０が「ＴＡ値大」と「ＴＡ値小」のいずれであるかを判定する。たとえば、「ＴＡ値大」はＴＡ値がＴＡ閾値より大きい（通信品質が品質閾値未満）ＵＥであり、「ＴＡ値小」はＴＡ値がＴＡ閾値以下（通信品質が品質閾値以上）であるＵＥである。
【００７４】
ＴＡ判定部１３１３は、ＵＥ＃０が「ＴＡ値大」あると判定した場合は測定間隔として第一間隔を処理タイミング判定部１３１４へ出力する。また、ＴＡ判定部１３１３は、ＵＥ＃０が「ＴＡ値小」であると判定した場合は測定間隔として第二間隔を処理タイミング判定部１３１４へ出力する。第二間隔は、第一間隔よりも長い周期である。たとえば、第一間隔は２サブフレームの間隔であり、第二間隔は４サブフレームの間隔であるとする。
【００７５】
処理タイミング判定部１３１４は、ＴＡ判定部１３１３から出力される測定間隔を、ＴＡ算出処理の測定間隔として設定する。処理タイミング判定部１３１４は、設定した測定間隔によってＴＡ算出部１３１５へトリガ信号を出力する。具体的には、処理タイミング判定部１３１４は、処理タイミング記憶部１３１２に記憶された前回の処理タイミングから現在までの経過時間が、設定した測定間隔になるごとにトリガ信号を出力する。
【００７６】
ＴＡ算出部１３１５は、処理タイミング判定部１３１４からトリガ信号が出力されると、パワー判定処理部３２０からのＵＬ受信データ（図３参照）に基づいてＵＥ＃０のＴＡ算出処理を行う。ＴＡ算出部１３１５は、ＴＡ算出処理を行うと、ＴＡ算出処理を行った処理タイミングを処理タイミング記憶部１３１２へ出力するとともに、ＴＡ算出処理により得られたＴＡ値を処理結果転送部３２２および推定値記憶部１３１１へ出力する。
【００７７】
基地局３００との間の距離の変化量が大きいＵＥはＴＡ値が高くなり、ＴＡ値の変化量も大きい。一方、基地局３００との間の距離の変化量が小さいＵＥはＴＡ値が低くなり、ＴＡ値の変化量も小さい。
【００７８】
ここでは処理部１３１０Ａの構成について説明したが、処理部１３１０Ｂ，１３１０Ｃ，…についても同様である。これにより、ＴＡ算出処理部３２１は、ＵＥごとにＴＡ算出処理を行うことができる。また、処理タイミング記憶部１３１２による比較や処理タイミング判定部１３１４による測定間隔の設定もＵＥごとに行われる。
【００７９】
図１４は、図１３に示したＴＡ算出処理部による動作の一例を示すフローチャートである。ＴＡ算出処理部３２１は、ＴＡ算出処理を行うＵＥのそれぞれを対象として（ＵＥ数分）、以下の各ステップを繰り返し行う。以下、処理対象のＵＥを対象ＵＥと称する。まず、ＴＡ判定部１３１３が、フラグ記憶部１３０２に記憶された対象ＵＥの負荷分散実行フラグが「１」となっているか否かを判断する（ステップＳ１４０１）。負荷分散実行フラグが「１」となっていない場合（ステップＳ１４０１：Ｎｏ）は、ステップＳ１４０５へ移行する。
【００８０】
ステップＳ１４０１において、対象ＵＥの負荷分散実行フラグが「１」となっている場合（ステップＳ１４０１：Ｙｅｓ）は、ＴＡ判定部１３１３が、対象ＵＥのＴＡ算出処理が２回目以降か否かを判断する（ステップＳ１４０２）。ステップＳ１４０２においては、たとえば、対象ＵＥのＴＡ値が推定値記憶部１３１１に記憶されていれば２回目以降であると判断し、記憶されていなければ初回であると判断する。２回目以降のＴＡ算出処理でない場合（ステップＳ１４０２：Ｎｏ）は、ステップＳ１４０５へ移行する。
【００８１】
ステップＳ１４０２において、２回目以降のＴＡ算出処理である場合（ステップＳ１４０２：Ｙｅｓ）は、ＴＡ判定部１３１３が、対象ＵＥの前回のＴＡ値を推定値記憶部１３１１から取得する（ステップＳ１４０３）。つぎに、ＴＡ判定部１３１３が、ステップＳ１４０３によって取得されたＴＡ値がＴＡ閾値以下か否かを判断する（ステップＳ１４０４）。ＴＡ値がＴＡ閾値より大きい場合（ステップＳ１４０４：Ｎｏ）は、ＴＡ判定部１３１３が、対象ＵＥを「ＴＡ値大」と判定する（ステップＳ１４０５）。
【００８２】
つぎに、処理タイミング判定部１３１４が、対象ＵＥの測定間隔に２サブフレームを設定し（ステップＳ１４０６）、ステップＳ１４０９へ移行する。ＴＡ値がＴＡ閾値以下の場合（ステップＳ１４０４：Ｙｅｓ）は、ＴＡ判定部１３１３が、対象ＵＥを「ＴＡ値小」と判定する（ステップＳ１４０７）。つぎに、処理タイミング判定部１３１４が、対象ＵＥの測定間隔に、４サブフレームを設定する（ステップＳ１４０８）。
【００８３】
つぎに、処理タイミング判定部１３１４が、処理タイミング記憶部１３１２から対象ＵＥのＴＡ算出処理の前回の処理タイミングを取得する（ステップＳ１４０９）。つぎに、処理タイミング判定部１３１４が、ステップＳ１４０９によって取得された前回の処理タイミングからの経過時間が、ステップＳ１４０６またはステップＳ１４０８によって設定された測定間隔であるか否かを判断する（ステップＳ１４１０）。
【００８４】
ステップＳ１４１０において、前回の処理タイミングからの経過時間が測定間隔でない場合（ステップＳ１４１０：Ｎｏ）は、一連の動作を終了する。前回の処理タイミングからの経過時間が測定間隔である場合（ステップＳ１４１０：Ｙｅｓ）は、ＴＡ算出部１３１５が、対象ＵＥのＴＡ算出処理を行う（ステップＳ１４１１）。つぎに、ステップＳ１４１１によるＴＡ算出処理によって得られたＴＡ値を推定値記憶部１３１１に記憶する（ステップＳ１４１２）。つぎに、ステップＳ１４１１による処理タイミングを処理タイミング記憶部１３１２に記憶し（ステップＳ１４１３）、一連の動作を終了する。
【００８５】
以上のステップを繰り返し行うことで、ＵＥごとに、前回算出されたＴＡ値とＴＡ閾値とを比較し、比較結果に基づいてＴＡ算出処理の測定間隔を設定することができる。具体的には、前回算出されたＴＡ値がＴＡ閾値以下である場合は、前回算出されたＴＡ値がＴＡ閾値より大きい場合よりもＴＡ算出処理の周期を長くすることができる。したがって、ＴＡ値が低いＵＥはＴＡ値の測定間隔が相対的に長くなり、ＴＡ値が高いＵＥはＴＡ値の測定間隔が相対的に短くなる。
【００８６】
図１５〜図１８は、ＴＡ算出処理部による周期的なＴＡ算出処理を示す図（その１）〜（その４）である。図１５〜図１８において、横軸はＳＲＳ処理回数を示している。縦軸は、ＴＡ算出処理の処理量を示している。ＳＲＳ処理間隔１５０１は、図４に示したＳＲＳ処理間隔４０１（１サブフレーム）である。
【００８７】
平均化時間１５０３は、ＴＡ算出における平均化時間である。ＴＡ算出部１３１５は、たとえば平均化時間１５０３におけるタイミングずれの平均値をＴＡ値として算出する。ここでは、平均化時間１５０３は４サブフレームの長さである。周期Ａ〜Ｅ，…は、ＳＲＳ処理間隔１５０１ごとの各周期である。図１４に示した各ステップは、たとえばＳＲＳ処理間隔１５０１ごとに行われる。最大処理量１５０２は、ＳＲＳ処理間隔１５０１においてＴＡ算出処理部３２１が処理可能な処理量の上限を示している。
【００８８】
ＵＥ＃０〜＃９は、ＴＡ算出処理部３２１がＴＡ算出処理を行うＵＥである。ＵＥ＃０〜＃９のそれぞれは、初期状態においては２サブフレームの測定間隔でＴＡ算出処理が行われる。たとえば、ＵＥ＃０は、周期Ａ，Ｃ，Ｅ，…においてＴＡ算出処理が行われる。また、ＵＥ＃４は、周期Ｂ，Ｄ，…においてＴＡ算出処理が行われる。
【００８９】
図中の「ＵＥ＃？  ＴＡ値小」は、ＴＡ値がＴＡ閾値以下と判定されたＵＥのＴＡ算出処理を示している。また、図中の「ＵＥ＃？  ＴＡ値大」は、ＴＡ値がＴＡ閾値より大きいと判定されたＵＥのＴＡ算出処理を示している。図１５に示すように、ＳＲＳ処理間隔１５０１にＴＡ算出処理を行うＵＥの数が多いほど、ＴＡ算出処理の処理量が多くなる。
【００９０】
したがって、ＴＡ算出処理の処理量が最大処理量１５０２に達するＵＥの数が、ＳＲＳ処理間隔１５０１においてＴＡ算出処理を行うことができるＵＥの数の上限となる。たとえば、周期Ｂ，Ｄ，…においては、ＴＡ算出処理を行うＵＥの数が６であり、ＴＡ算出処理の処理量が最大処理量１５０２に達している。したがって、周期Ｂ，Ｄ，…においては、これ以上のＵＥのＴＡ算出処理を行うことができない。
【００９１】
図１５に示した状態において、処理タイミング判定部１３１４は、「ＴＡ値小」と判定されたＵＥの測定間隔を長くする。たとえば、処理タイミング判定部１３１４は、「ＴＡ値小」と判定されたＵＥの測定間隔を２サブフレームから４サブフレームにする。具体的には、ＵＥ＃２，＃３，＃８，＃９は「ＴＡ値小」であるため、処理タイミング判定部１３１４は、ＵＥ＃２，＃３，＃８，＃９の測定間隔を４サブフレームに設定する。
【００９２】
これにより、図１６の符号１６０１に示すように、ＵＥ＃２のＴＡ算出処理は周期Ｃ，…において行われなくなる。また、符号１６０２に示すように、ＵＥ＃３のＴＡ算出処理は周期Ａ，Ｅ，…において行われなくなる。また、符号１６０３に示すように、ＵＥ＃８のＴＡ算出処理は周期Ｄ，…において行われなくなる。また、符号１６０４に示すように、ＵＥ＃９のＴＡ算出処理は周期Ｂ，…において行われなくなる。
【００９３】
図１７の斜線部１７０１〜１７０５は、ＵＥ＃２，＃３，＃８，＃９の測定間隔を４サブフレームに設定したことによって生じた処理時間の空きを示している。これにより、たとえば図１８の符号１８０１，１８０２に示すように、周期Ｂ，Ｄにおいて新規のＵＥ＃１０のＴＡ算出処理を行うことが可能になる。
【００９４】
図１９は、新規に追加されたＵＥの測定間隔を示す図である。図１９において、図１５〜図１８に示した部分と同様の部分については同一の符号を付して説明を省略する。図１９に示すように、ＵＥ＃０〜＃９のＴＡ算出処理を行っている状態において、新規のＵＥ＃１０を追加する場合について説明する。
【００９５】
たとえば、ＵＥ＃１０のＴＡ算出処理は、符号１９０１に示すように、まず周期Ａに割り当てられる。この場合は、周期Ａにおいて、ＵＥ＃１０のＴＡ算出処理は初回であるため、ＵＥ＃１０は「ＴＡ値大」と判定され、測定周期には２サブフレームが設定される。つぎに、周期Ｂにおいて、ＵＥ＃１０が「ＴＡ値小」と判定されたとする。
【００９６】
この場合は、ＵＥ＃１０の測定周期に４サブフレームが設定される。したがって、符号１９０２に示すように、周期Ａから２サブフレーム後の周期ＣにおいてはＵＥ＃１０のＴＡ推定処理は行われない。そして、符号１９０３に示すように、周期Ａから４サブフレーム後の周期ＥにおいてＵＥ＃１０のＴＡ推定処理が行われる。
【００９７】
図２０は、ＵＥのＴＡ値が変化した場合の処理を示す図である。図２０において、図１５〜図１８に示した部分と同様の部分については同一の符号を付して説明を省略する。符号２００１に示すように、ＵＥ＃２は、周期Ａにおいて「ＴＡ値小」と判定されたとする。この場合は、周期ＡのつぎにＵＥ＃２のＴＡ算出処理が行われるのは、符号２００２に示すように、周期Ａの４サブフレーム後の周期Ｅとなる。
【００９８】
そして、周期Ａと周期Ｅの間でＵＥ＃２のＴＡ値が増加し、周期ＥにおいてＵＥ＃２が「ＴＡ値大」と判定されたとする。この場合は、周期Ｅにおいて、ＵＥ＃２の測定間隔に２サブフレームが設定される。したがって、周期ＥのつぎにＵＥ＃２のＴＡ算出処理が行われるのは、符号２００３に示すように、周期Ｅの２サブフレーム後の周期Ｇとなる。
【００９９】
また、周期ＧにおいてもＵＥ＃２が「ＴＡ値大」と判定されたとする。この場合は、周期ＧのつぎにＵＥ＃２のＴＡ算出処理が行われるのは、符号２００４に示すように、周期Ｇの２サブフレーム後の周期Ｉとなる。このように、図１４に示した各ステップを繰り返し行うことで、ＵＥのＴＡ値が変化しても、ＵＥの測定間隔を動的に設定することができる。このため、各ＵＥのＴＡ算出処理をそれぞれ適切な頻度で行うことができる。
【０１００】
このように、実施の形態３にかかる基地局３００によれば、ｆｄ推定値が比較的低い（通信品質が高い）ＵＥについて、測定間隔を長くすることで測定処理を時間的に分散させ、測定処理の頻度を低くすることができる。これにより、測定処理の時間的な余裕を拡大し、ｆｄ推定処理（通信品質の測定）を効率よく行うことができる。
【０１０１】
また、ｆｄ推定値が低いＵＥは、たとえばユーザが歩行中であったり自転車に乗っていたりして、移動速度が低いと考えられる。このため、ｆｄ推定値が低いＵＥは、ｆｄ推定値が高いＵＥと比べてｆｄ推定値が急激に変化する可能性が低い。このため、ｆｄ推定値が低いＵＥの測定処理の頻度を低くすることで、測定処理の頻度を低くすることによる通信性能の劣化を抑えることができる。
【０１０２】
また、ＴＡ値が比較的低い（通信品質が高い）ＵＥについて、測定間隔を長くすることで測定処理を時間的に分散させ、測定処理の頻度を低くすることができる。これにより、測定処理の時間的な余裕を拡大し、ＴＡ算出処理（通信品質の測定）を効率よく行うことができる。また、ＴＡ値が低いＵＥは、たとえば基地局３００との間の距離の変化が小さいと考えられる。このため、ＴＡ値が低いＵＥは、ＴＡ値が高いＵＥと比べてＴＡ値が急激に変化する可能性が低い。このため、ＴＡ値が低いＵＥの測定処理の頻度を低くすることで、測定処理の頻度を低くすることによる通信性能の劣化を抑えることができる。
【０１０３】
（実施の形態３）
（ｆｄ推定処理部）
図２１は、実施の形態３にかかるｆｄ推定処理部の構成を示すブロック図である。図２１において、図５に示した構成と同様の構成については同一の符号を付して説明を省略する。図２１に示すように、実施の形態３にかかるｆｄ推定処理部３１７は、図５に示した構成に加えて、テーブル記憶部２１１１と、閾値設定部２１１２と、分散実行判断部２１１３と、を備えている。なお、図２１においては、処理部５１０Ａが備える構成のうちのｆｄ判定部５１３を図示している。
【０１０４】
ｆｄ推定処理部３１７は、ＳＲＳ処理の各周期においてＳＲＳ処理を行うＵＥ数（移動端末の数）の情報を取得する。ｆｄ推定処理部３１７は、たとえば、ＵＬスケジューラ３０６から出力された割当情報に基づいてＵＥ数を取得する。テーブル記憶部２１１１には、ＵＥ数とｆｄ閾値とを対応付けるテーブルが記憶されている。閾値設定部２１１２は、取得したＵＥ数に基づいてｆｄ閾値を設定する。たとえば、閾値設定部２１１２は、ＵＥ数が相対的に多い場合は、ＵＥ数が相対的に少ない場合よりも高いｆｄ閾値を設定する。
【０１０５】
具体的には、閾値設定部２１１２は、閾値設定部２１１２に記憶されたテーブルにおいてＵＥ数と対応するｆｄ閾値を取得する。閾値設定部２１１２は、取得したｆｄ閾値をｆｄ閾値記憶部５０１へ出力する。ｆｄ閾値記憶部５０１は、閾値設定部２１１２から出力されたｆｄ閾値を記憶する。
【０１０６】
これにより、ｆｄ判定部５１３（図５参照）は、閾値設定部２１１２によって設定されたｆｄ閾値を比較に用いることができる。このため、ＵＥ数が多くＳＲＳ処理の処理量が多くなる場合は、ｆｄ閾値を高くしてｆｄ推定処理が分散されやすくし、処理の効率化を図ることができる。反対に、ＵＥ数が少ない場合は、ｆｄ閾値を低くしてｆｄ推定処理が頻繁に行われるようにし、通信性能を向上させることができる。
【０１０７】
分散実行判断部２１１３は、取得したＵＥ数に基づいて、ｆｄ推定処理の負荷分散を行うか否かを判断する。分散実行判断部２１１３は、判断結果を負荷分散実行フラグとしてフラグ記憶部５０２へ出力する。フラグ記憶部５０２は、分散実行判断部２１１３から出力された負荷分散実行フラグを記憶する。
【０１０８】
たとえば、分散実行判断部２１１３は、ＵＥ数があらかじめ定められた所定閾値より大きい場合は負荷分散を行うと判断し、ＵＥ数が所定閾値以下の場合は負荷分散を行わないと判断する。これにより、処理タイミング判定部５１４は、ＵＥ数が所定閾値以下の場合は測定間隔を第一間隔に設定することができる。これにより、ＵＥ数が少ない場合は、ｆｄ推定処理が頻繁に行われるようにし、通信性能を向上させることができる。
【０１０９】
図２２は、図２１に示したｆｄ推定処理部の動作の一例を示すフローチャートである。ｆｄ推定処理部３１７は、ＵＥ＃０〜ＵＥ＃２，…に共通する動作として、たとえば図２２に示す各ステップを実行する。まず、ＵＥ数を取得する（ステップＳ２２０１）。つぎに、分散実行判断部２１１３が、ステップＳ２２０１によって取得されたＵＥ数が所定閾値以上であるか否かを判断する（ステップＳ２２０２）。
【０１１０】
ステップＳ２２０２において、ＵＥ数が所定閾値以上でない場合（ステップＳ２２０２：Ｎｏ）は、分散実行判断部２１１３が、フラグ記憶部５０２の負荷分散実行フラグを「０」に設定し（ステップＳ２２０３）、一連の動作を終了する。ＵＥ数が所定閾値以上である場合（ステップＳ２２０２：Ｙｅｓ）は、閾値設定部２１１２が、ＵＥ数に基づいてｆｄ閾値を設定する（ステップＳ２２０４）。
【０１１１】
つぎに、分散実行判断部２１１３が、フラグ記憶部５０２の負荷分散実行フラグを「１」に設定し（ステップＳ２２０５）、一連の動作を終了する。以上のステップを繰り返し行うことで、ＵＥ数に応じて負荷分散実行フラグを設定するとともに、ＵＥ数に応じてｆｄ閾値を設定することができる。
【０１１２】
（ＴＡ算出処理部）
図２３は、実施の形態３にかかるＴＡ算出処理部の構成を示すブロック図である。図２３において、図１３に示した構成と同様の構成については同一の符号を付して説明を省略する。図２３に示すように、実施の形態３にかかるＴＡ算出処理部３２１は、図１３に示した構成に加えて、テーブル記憶部２３１１と、閾値設定部２３１２と、分散実行判断部２３１３と、を備えている。なお、図２３においては、処理部１３１０Ａが備える構成のうちのＴＡ判定部１３１３を図示している。
【０１１３】
ＴＡ算出処理部３２１は、ＳＲＳ処理の各周期においてＳＲＳ処理を行うＵＥ数を取得する。ＴＡ算出処理部３２１は、たとえば、ＵＬスケジューラ３０６から出力された割当情報に基づいてＳＲＳ処理を行うＵＥ数を取得する。テーブル記憶部２３１１には、ＵＥ数とＴＡ閾値とを対応付けるテーブルが記憶されている。閾値設定部２３１２は、取得したＵＥ数に基づいてＴＡ閾値を設定する。たとえば、閾値設定部２３１２は、ＵＥ数が相対的に多い場合は、ＵＥ数が相対的に少ない場合よりも高いＴＡ閾値を設定する。
【０１１４】
具体的には、閾値設定部２３１２は、閾値設定部２３１２に記憶されたテーブルにおいてＵＥ数と対応するＴＡ閾値を取得する。閾値設定部２３１２は、取得したＴＡ閾値をＴＡ閾値記憶部１３０１へ出力する。ＴＡ閾値記憶部１３０１は、閾値設定部２３１２から出力されたＴＡ閾値を記憶する。
【０１１５】
これにより、ＴＡ判定部１３１３（図１３参照）は、閾値設定部２３１２によって設定されたＴＡ閾値を比較に用いることができる。このため、ＵＥ数が多くＳＲＳ処理の処理量が多くなる場合は、ＴＡ閾値を高くしてＴＡ算出処理が分散されやすくし、処理の効率化を図ることができる。反対に、ＵＥ数が少ない場合は、ＴＡ閾値を低くしてＴＡ算出処理が頻繁に行われるようにし、通信性能を向上させることができる。
【０１１６】
分散実行判断部２３１３は、取得したＵＥ数に基づいて、ＴＡ算出処理の負荷分散を行うか否かを判断する。分散実行判断部２３１３は、判断結果を負荷分散実行フラグとしてフラグ記憶部１３０２へ出力する。フラグ記憶部１３０２は、分散実行判断部２３１３から出力された負荷分散実行フラグを記憶する。
【０１１７】
たとえば、分散実行判断部２３１３は、ＵＥ数があらかじめ定められた所定閾値より大きい場合は負荷分散を行うと判断し、ＵＥ数が所定閾値以下の場合は負荷分散を行わないと判断する。これにより、処理タイミング判定部５１４は、ＵＥ数が所定閾値以下の場合は測定間隔を第一間隔に設定することができる。これにより、ＵＥ数が少ない場合は、ＴＡ算出処理が頻繁に行われるようにし、通信性能を向上させることができる。
【０１１８】
図２４は、図２３に示したＴＡ算出処理部の動作の一例を示すフローチャートである。ＴＡ算出処理部３２１は、ＵＥ＃０〜ＵＥ＃２，…に共通する動作として、たとえば図２４に示す各ステップを実行する。まず、ＵＥ数を取得する（ステップＳ２４０１）。つぎに、分散実行判断部２３１３が、ステップＳ２４０１によって取得されたＵＥ数が所定閾値以上であるか否かを判断する（ステップＳ２４０２）。
【０１１９】
ステップＳ２４０２において、ＵＥ数が所定閾値以上でない場合（ステップＳ２４０２：Ｎｏ）は、分散実行判断部２３１３が、フラグ記憶部１３０２の負荷分散実行フラグを「０」に設定し（ステップＳ２４０３）、一連の動作を終了する。ＵＥ数が所定閾値以上である場合（ステップＳ２４０２：Ｙｅｓ）は、閾値設定部２３１２が、ＵＥ数に基づいてＴＡ閾値を設定する（ステップＳ２４０４）。
【０１２０】
つぎに、分散実行判断部２３１３が、フラグ記憶部１３０２の負荷分散実行フラグを「１」に設定し（ステップＳ２４０５）、一連の動作を終了する。以上のステップを繰り返し行うことで、ＵＥ数に応じて負荷分散実行フラグを設定するとともに、ＵＥ数に応じてＴＡ閾値を設定することができる。
【０１２１】
図２５は、図２１および図２３に示したテーブル記憶部に記憶されるテーブルの一例を示す図である。図２５に示すテーブル２５１０は、ｆｄ推定処理部３１７のテーブル記憶部２１１１に記憶されるテーブルである。テーブル２５１０は、ＵＥ数とｆｄ閾値とを対応付けている。テーブル２５１０においては、ＵＥ数「０」〜「６」に対してそれぞれｆｄ閾値「０」「０」「０」「Ｐ４」「Ｐ４」「Ｐ３」「Ｐ３」が対応付けられている（０＜Ｐ４＜Ｐ３とする）。
【０１２２】
このように、相対的に多いＵＥ数に対して相対的に高いｆｄ閾値を対応付けることで、閾値設定部２１１２は、ＵＥ数が相対的に多い場合は、ＵＥ数が相対的に少ない場合よりｆｄ閾値を高く（すなわち品質閾値を低く）設定することができる。なお、ここでは、図２２のステップＳ２２０２において比較される所定閾値を「３」としている。したがって、ＵＥ数が「３」未満の場合はｆｄ推定処理の負荷分散が行われないため、ＵＥ数「０」〜「２」にはｆｄ閾値「０」が対応付けられている。
【０１２３】
テーブル２５２０は、ＴＡ算出処理部３２１のテーブル記憶部２３１１に記憶されるテーブルである。テーブル２５２０は、ＵＥ数とＴＡ閾値とを対応付けている。テーブル２５２０においては、ＵＥ数「０」〜「６」に対してそれぞれＴＡ閾値「０」「０」「０」「Ｐ４」「Ｐ４」「Ｐ３」「Ｐ３」が対応付けられている。なお、ここでは、図２４のステップＳ２４０２において比較される所定閾値を「３」としている。したがって、ＵＥ数が「３」未満の場合はＴＡ算出処理の負荷分散が行われないため、ＵＥ数「０」〜「２」にはＴＡ閾値「０」が対応付けられている。
【０１２４】
このように、相対的に多いＵＥ数に対して相対的に高いＴＡ閾値を対応付けることで、閾値設定部２３１２は、ＵＥ数が相対的に多い場合は、ＵＥ数が相対的に少ない場合よりもＴＡ閾値を高く（すなわち品質閾値を低く）設定することができる。
【０１２５】
図２６−１〜図２６−３は、ＵＥ数に基づく各閾値の変更を示す図（その１）〜（その３）である。図２６−１〜図２６−３において、図７に示した部分と同様の部分については同一の符号を付して説明を省略する。周期Ａにおいては、ＵＥ数が２であり所定閾値「３」より少ないため、負荷分散実行フラグが「０」に設定され、ｆｄ推定処理およびＴＡ算出処理の負荷分散が行われない。また、ＵＥ＃１は、ｆｄ推定値およびＴＡ値がともにＰ３であり、「高ｆｄ」および「ＴＡ値大」と判定されている。このため、ＵＥ＃１は負荷分散の対象となっていない。
【０１２６】
つぎに、周期Ｃにおいて、符号２６０１に示すようにＵＥ＃６，＃７のＳＲＳ処理が割り当てられたとする。ＵＥ＃６のｆｄ推定値およびＴＡ値はともにＰ４であるとする。また、ＵＥ＃７のｆｄ推定値およびＴＡ値はともにＰ５であるとする。この場合は、ＵＥ数が４となったため、負荷分散実行フラグが「１」に設定されるとともに、ｆｄ閾値とＴＡ閾値がともにＰ４に設定される（図２５参照）。
【０１２７】
したがって、ＵＥ＃６，＃７はそれぞれ「低ｆｄ」および「ＴＡ値小」と判定され、負荷分散の対象となる。具体的には、符号２６０２に示すようにＵＥ＃６は周期Ｅ，…に割り当てられ、符号２６０３に示すようにＵＥ＃７は周期Ｇ，…に割り当てられる。
【０１２８】
つぎに、周期Ｈにおいて、符号２６０４に示すようにＵＥ＃８，＃９のＳＲＳ処理が割り当てられたとする。ＵＥ＃８のｆｄ推定値およびＴＡ値はともにＰ０であるとする。また、ＵＥ＃９のｆｄ推定値およびＴＡ値はともにＰ１であるとする。この場合は、ＵＥ数が６となったため、ｆｄ閾値とＴＡ閾値がともにＰ３に設定される（図２５参照）。
【０１２９】
したがって、「高ｆｄ」および「ＴＡ値大」と判定されていたＵＥ＃１が「低ｆｄ」および「ＴＡ値小」と判定され、負荷分散の対象となる。具体的には、符号２６０５に示すようにＵＥ＃１は周期Ｌ，…に割り当てられる。
【０１３０】
つぎに、周期Ｏにおいて、符号２６０６に示すようにＵＥ＃６〜＃９のＳＲＳ処理の割り当てが解除されたとする。この場合は、ＵＥ数が２であり所定閾値「３」より少ないため、負荷分散実行フラグが「０」に設定され、負荷分散が行われなくなる。したがって、たとえば、「低ｆｄ」および「ＴＡ値小」と判定されていたＵＥ＃１が「高ｆｄ」および「ＴＡ値大」と判定され、負荷分散の対象外となる。具体的には、符号２６０７，２６０８，２６０９に示すように、ＵＥ＃１は周期Ｑ，Ｓ，Ｕ，…に割り当てられる。
【０１３１】
このように、実施の形態３にかかる基地局３００によれば、ＵＥ数に基づいて品質閾値（ｆｄ閾値やＴＡ閾値）を設定することで、ＵＥ数に応じて効率的に通信品質を測定することができる。具体的には、ＵＥ数が相対的に多い場合は、ＵＥ数が相対的に少ない場合よりも品質閾値を低く（ｆｄ閾値やＴＡ閾値を高く）設定する。
【０１３２】
これにより、基地局３００が市街地などに設置され、ＵＥ数が多くＳＲＳ処理の処理量が多くなる場合は測定処理が分散されやすくし、処理の効率化を図ることができる。また、基地局３００が高速道路などに設置され、ＵＥ数が少ないが頻繁な測定処理が必要な場合は測定処理が頻繁に行われるようにし、通信性能を向上させることができる。また、ＵＥ数が所定閾値以下の場合は測定間隔を第一間隔に設定することで、ＵＥ数が少ない場合は測定処理が頻繁に行われるようにし、通信性能を向上させることができる。
【０１３３】
（実施の形態４）
（ｆｄ推定処理部）
図２７は、実施の形態４にかかるｆｄ推定処理部の構成を示すブロック図である。図２７において、図２１に示した構成と同様の構成については同一の符号を付して説明を省略する。図２７に示すように、実施の形態４にかかるｆｄ推定処理部３１７は、図２１に示した構成に加えてテーブル記憶部２７１１、閾値／間隔設定部２７１２および閾値／間隔記憶部２７１３を備えている。
【０１３４】
この場合は、図２１に示したテーブル記憶部２１１１、閾値設定部２１１２および分散実行判断部２１１３は省いてもよい。なお、図２７においては、処理部５１０Ａの構成のうちのｆｄ判定部５１３および処理タイミング判定部５１４を図示している。テーブル記憶部２７１１には、ＵＥ数、第一ｆｄ閾値、第一測定間隔、第二ｆｄ閾値および第二測定間隔を対応付けるテーブルが記憶されている。
【０１３５】
閾値／間隔設定部２７１２は、取得したＵＥ数に基づいて第一ｆｄ閾値、第一測定間隔、第二ｆｄ閾値および第二測定間隔を設定する。具体的には、閾値／間隔設定部２７１２は、閾値／間隔設定部２７１２に記憶されたテーブルにおいてＵＥ数と対応する第一ｆｄ閾値、第一測定間隔、第二ｆｄ閾値および第二測定間隔を取得する。閾値／間隔設定部２７１２は、取得したｆｄ閾値を閾値／間隔記憶部２７１３へ出力する。閾値／間隔記憶部２７１３は、閾値／間隔設定部２７１２から出力された第一ｆｄ閾値、第一測定間隔、第二ｆｄ閾値および第二測定間隔を記憶する。
【０１３６】
ｆｄ判定部５１３は、閾値／間隔記憶部２７１３に記憶された第一ｆｄ閾値、第一測定間隔、第二ｆｄ閾値および第二測定間隔を取得する。そして、ｆｄ判定部５１３は、前回のｆｄ推定値が第一ｆｄ閾値より大きい場合は「高ｆｄ」と判定し、測定間隔として２サブフレームを処理タイミング判定部５１４へ出力する。また、ｆｄ判定部５１３は、前回のｆｄ推定値が第一ｆｄ閾値と第二ｆｄ閾値の間である場合は、「中ｆｄ」と判定し、測定間隔として４サブフレームを処理タイミング判定部５１４へ出力する。また、ｆｄ判定部５１３は、前回のｆｄ推定値が第二ｆｄ閾値以下である場合は「低ｆｄ」と判定し、測定間隔として６サブフレームを処理タイミング判定部５１４へ出力する。
【０１３７】
図２８は、図２７に示したｆｄ推定処理部の閾値設定動作の一例を示すフローチャートである。ｆｄ推定処理部３１７は、ＵＥ＃０〜ＵＥ＃２，…に共通する動作として、たとえば図２８に示す各ステップを実行する。まず、ＵＥ数を取得する（ステップＳ２８０１）。つぎに、分散実行判断部２１１３が、ステップＳ２８０１によって取得されたＵＥ数が所定閾値以上であるか否かを判断する（ステップＳ２８０２）。
【０１３８】
ステップＳ２８０２においてＵＥ数が所定閾値以上でない場合（ステップＳ２８０２：Ｎｏ）は、分散実行判断部２１１３が、フラグ記憶部５０２の負荷分散実行フラグを「０」に設定し（ステップＳ２８０３）、一連の動作を終了する。ＵＥ数が所定閾値以上である場合（ステップＳ２８０２：Ｙｅｓ）は、閾値／間隔設定部２７１２がＵＥ数に基づく複数のｆｄ閾値および測定間隔を設定する（ステップＳ２８０４）。複数のｆｄ閾値および測定間隔は、第一ｆｄ閾値、第一測定間隔、第二ｆｄ閾値および第二測定間隔である。
【０１３９】
つぎに、分散実行判断部２１１３が、フラグ記憶部５０２の負荷分散実行フラグを「１」に設定し（ステップＳ２８０５）、一連の動作を終了する。以上のステップを繰り返し行うことで、ＵＥ数に応じて負荷分散実行フラグを設定するとともに第一ｆｄ閾値、第一測定間隔、第二ｆｄ閾値および第二測定間隔を設定することができる。
【０１４０】
（ＴＡ算出処理部）
図２９は、実施の形態４にかかるＴＡ算出処理部の構成を示すブロック図である。図２９において、図２３に示した構成と同様の構成については同一の符号を付して説明を省略する。図２９に示すように、実施の形態４にかかるＴＡ算出処理部３２１は、図２３に示した構成に加えてテーブル記憶部２９１１、閾値／間隔設定部２９１２および閾値／間隔記憶部２９１３を備えている。
【０１４１】
この場合は、図２３に示したテーブル記憶部２３１１、閾値設定部２３１２および分散実行判断部２３１３は省いてもよい。なお、図２９においては、処理部１３１０Ａの構成のうちのＴＡ判定部１３１３および処理タイミング判定部１３１４を図示している。テーブル記憶部２９１１には、ＵＥ数、第一ＴＡ閾値、第一測定間隔、第二ＴＡ閾値および第二測定間隔を対応付けるテーブルが記憶されている。
【０１４２】
閾値／間隔設定部２９１２は、取得したＵＥ数に基づいて第一ＴＡ閾値、第一測定間隔、第二ＴＡ閾値および第二測定間隔を設定する。具体的には、閾値／間隔設定部２９１２は、閾値／間隔設定部２９１２に記憶されたテーブルにおいてＵＥ数と対応する第一ＴＡ閾値、第一測定間隔、第二ＴＡ閾値および第二測定間隔を取得する。閾値／間隔設定部２９１２は、取得したＴＡ閾値を閾値／間隔記憶部２９１３へ出力する。閾値／間隔記憶部２９１３は、閾値／間隔設定部２９１２から出力された第一ＴＡ閾値、第一測定間隔、第二ＴＡ閾値および第二測定間隔を記憶する。
【０１４３】
ＴＡ判定部１３１３は、閾値／間隔記憶部２９１３に記憶された第一ＴＡ閾値、第一測定間隔、第二ＴＡ閾値および第二測定間隔を取得する。そして、ＴＡ判定部１３１３は、前回のＴＡ値が第一ＴＡ閾値より大きい場合は「ＴＡ値大」と判定し、測定間隔として２サブフレームを処理タイミング判定部１３１４へ出力する。また、ＴＡ判定部１３１３は、前回のＴＡ値が第一ＴＡ閾値と第二ＴＡ閾値の間である場合は、「ＴＡ値中」と判定し、測定間隔として４サブフレームを処理タイミング判定部１３１４へ出力する。また、ＴＡ判定部１３１３は、前回のＴＡ値が第二ＴＡ閾値以下である場合は「ＴＡ値小」と判定し、測定間隔として６サブフレームを処理タイミング判定部１３１４へ出力する。
【０１４４】
図３０は、図２９に示したＴＡ算出処理部の閾値設定動作の一例を示すフローチャートである。ＴＡ算出処理部３２１は、ＵＥ＃０〜ＵＥ＃２，…に共通する動作として、たとえば図３０に示す各ステップを実行する。まず、ＵＥ数を取得する（ステップＳ３００１）。つぎに、分散実行判断部２３１３が、ステップＳ３００１によって取得されたＵＥ数が所定閾値以上であるか否かを判断する（ステップＳ３００２）。
【０１４５】
ステップＳ３００２においてＵＥ数が所定閾値以上でない場合（ステップＳ３００２：Ｎｏ）は、分散実行判断部２３１３がフラグ記憶部１３０２の負荷分散実行フラグを「０」に設定し（ステップＳ３００３）、一連の動作を終了する。ＵＥ数が所定閾値以上である場合（ステップＳ３００２：Ｙｅｓ）は、閾値／間隔設定部２９１２がＵＥ数に基づく複数のＴＡ閾値および測定間隔を設定する（ステップＳ３００４）。複数のＴＡ閾値および測定間隔は、第一ＴＡ閾値、第一測定間隔、第二ＴＡ閾値および第二測定間隔である。
【０１４６】
つぎに、分散実行判断部２３１３が、フラグ記憶部１３０２の負荷分散実行フラグを「１」に設定し（ステップＳ３００５）、一連の動作を終了する。以上のステップを繰り返し行うことで、ＵＥ数に応じて負荷分散実行フラグを設定するとともに第一ＴＡ閾値、第一測定間隔、第二ＴＡ閾値および第二測定間隔を設定することができる。
【０１４７】
図３１は、図２７および図２９に示したテーブル記憶部に記憶されるテーブルの一例を示す図である。図３１に示すテーブル３１１０は、ｆｄ推定処理部３１７のテーブル記憶部２７１１に記憶されるテーブルである。テーブル３１１０は、ＵＥ数と、第一ｆｄ閾値、第一測定間隔、第二ｆｄ閾値および第二測定間隔と、を対応付けている。なお、ここでは第一測定間隔および第二測定間隔をサブフレーム数によって示している。
【０１４８】
テーブル３１１０においては、ＵＥ数「０」〜「６」に対してそれぞれ第一ｆｄ閾値「０」「０」「０」「Ｐ３」「Ｐ３」「Ｐ２」「Ｐ２」が対応付けられている（０＜Ｐ４＜Ｐ３とする）。また、テーブル３１１０においては、ＵＥ数「０」〜「６」に対してそれぞれ第一測定間隔「２」「２」「２」「４」「４」「４」「４」が対応付けられている。また、テーブル３１１０においては、ＵＥ数「０」〜「６」に対してそれぞれ第二ｆｄ閾値「０」「０」「０」「Ｐ５」「Ｐ５」「Ｐ４」「Ｐ４」および第二測定間隔「２」「２」「２」「４」「４」「４」「４」が対応付けられている。
【０１４９】
このように、第一ｆｄ閾値より低い第二ｆｄ閾値に対して、第一ｆｄ閾値に対応する第一測定間隔より長い測定間隔を対応付けることで、ｆｄ推定値が低い（通信品質が高い）ほど測定間隔を長く設定することができる。なお、ここでは、図２８のステップＳ２８０２において比較される所定閾値を「３」としている。したがって、ＵＥ数が「３」未満の場合はｆｄ推定処理の負荷分散が行われないため、ＵＥ数「０」〜「２」には第一ｆｄ閾値、第一測定間隔、第二ｆｄ閾値および第二測定間隔「０」が対応付けられている。
【０１５０】
テーブル３１２０は、ＵＥ数と、第一ＴＡ閾値、第一測定間隔、第二ＴＡ閾値および第二測定間隔と、を対応付けている。テーブル３１２０においては、ＵＥ数「０」〜「６」に対してそれぞれ第一ＴＡ閾値「０」「０」「０」「Ｐ３」「Ｐ３」「Ｐ２」「Ｐ２」および第一測定間隔「２」「２」「２」「４」「４」「４」「４」が対応付けられている。また、テーブル３１２０においては、ＵＥ数「０」〜「６」に対してそれぞれ第二ＴＡ閾値「０」「０」「０」「Ｐ５」「Ｐ５」「Ｐ４」「Ｐ４」および第二測定間隔「２」「２」「２」「４」「４」「４」「４」が対応付けられている。
【０１５１】
このように、第一ＴＡ閾値より低い第二ＴＡ閾値に対して、第一ＴＡ閾値に対応する第一測定間隔より長い測定間隔を対応付けることで、ＴＡ算出値が低い（通信品質が高い）ほど測定間隔を長く設定することができる。なお、ここでは、図３０のステップＳ３００２において比較される所定閾値を「３」としている。したがって、ＵＥ数が「３」未満の場合はＴＡ推定処理の負荷分散が行われないため、ＵＥ数「０」〜「２」には第一ＴＡ閾値、第一測定間隔、第二ＴＡ閾値および第二測定間隔「０」が対応付けられている。
【０１５２】
図３２は、図２７に示したｆｄ推定処理部の動作の一例を示すフローチャートである。図３２に示すステップＳ３２０１〜Ｓ３２０３は、図６に示したステップＳ６０１〜Ｓ６０３と同様であるため説明を省略する。ステップＳ３２０３のつぎに、ｆｄ判定部５１３が、ステップＳ３２０３によって取得されたｆｄ推定値が第一ｆｄ閾値以下か否かを判断する（ステップＳ３２０４）。
【０１５３】
ステップＳ３２０４において、ｆｄ推定値が第一ｆｄ閾値より大きい場合（ステップＳ３２０４：Ｎｏ）は、ｆｄ判定部５１３が、対象ＵＥを「高ｆｄ」と判定する（ステップＳ３２０５）。つぎに、処理タイミング判定部５１４が、対象ＵＥの測定間隔に２サブフレームを設定し（ステップＳ３２０６）、ステップＳ３２１２へ移行する。
【０１５４】
ステップＳ３２０４において、ｆｄ推定値が第一ｆｄ閾値以下の場合（ステップＳ３２０４：Ｙｅｓ）は、ｆｄ判定部５１３が、ステップＳ３２０３によって取得されたｆｄ推定値が第二ｆｄ閾値以下か否かを判断する（ステップＳ３２０７）。ｆｄ推定値が第二ｆｄ閾値より大きい場合（ステップＳ３２０７：Ｎｏ）は、ｆｄ判定部５１３が、対象ＵＥを「中ｆｄ」と判定する（ステップＳ３２０８）。つぎに、処理タイミング判定部５１４が、対象ＵＥの測定間隔に４サブフレームを設定し（ステップＳ３２０９）、ステップＳ３２１２へ移行する。
【０１５５】
ステップＳ３２０７において、ｆｄ推定値が第二ｆｄ閾値以下の場合（ステップＳ３２０７：Ｙｅｓ）は、ｆｄ判定部５１３が、対象ＵＥを「低ｆｄ」と判定する（ステップＳ３２１０）。つぎに、処理タイミング判定部５１４が、対象ＵＥの測定間隔に６サブフレームを設定する（ステップＳ３２１１）。図３２に示すステップＳ３２１２〜Ｓ３２１６は、図６に示したステップＳ６０９〜Ｓ６１３と同様であるため説明を省略する。
【０１５６】
図３３は、図２９に示したＴＡ算出処理部の動作の一例を示すフローチャートである。図３３に示すステップＳ３３０１〜Ｓ３３０３は、図１４に示したステップＳ１４０１〜Ｓ１４０３と同様であるため説明を省略する。ステップＳ３３０３のつぎに、ＴＡ判定部１３１３が、ステップＳ３３０３によって取得されたＴＡ値が第一ＴＡ閾値以下か否かを判断する（ステップＳ３３０４）。
【０１５７】
ステップＳ３３０４において、ＴＡ値が第一ＴＡ閾値より大きい場合（ステップＳ３３０４：Ｎｏ）は、ＴＡ判定部１３１３が、対象ＵＥを「ＴＡ値大」と判定する（ステップＳ３３０５）。つぎに、処理タイミング判定部５１４が、対象ＵＥの測定間隔に２サブフレームを設定し（ステップＳ３３０６）、ステップＳ３３１２へ移行する。
【０１５８】
ステップＳ３３０４において、ＴＡ値が第一ＴＡ閾値以下の場合（ステップＳ３３０４：Ｙｅｓ）は、ＴＡ判定部１３１３が、ステップＳ３３０３によって取得されたＴＡ値が第二ＴＡ閾値以下か否かを判断する（ステップＳ３３０７）。ＴＡ値が第二ＴＡ閾値より大きい場合（ステップＳ３３０７：Ｎｏ）は、ＴＡ判定部１３１３が、対象ＵＥを「ＴＡ値中」と判定する（ステップＳ３３０８）。つぎに、処理タイミング判定部５１４が、対象ＵＥの測定間隔に４サブフレームを設定し（ステップＳ３３０９）、ステップＳ３３１２へ移行する。
【０１５９】
ステップＳ３３０７において、ＴＡ値が第二ＴＡ閾値以下の場合（ステップＳ３３０７：Ｙｅｓ）は、ＴＡ判定部１３１３が、対象ＵＥを「ＴＡ値小」と判定する（ステップＳ３３１０）。つぎに、処理タイミング判定部５１４が、対象ＵＥの測定間隔に６サブフレームを設定する（ステップＳ３３１１）。図３３に示すステップＳ３３１２〜Ｓ３３１６は、図１４に示したステップＳ１４０９〜Ｓ１４１３と同様であるため説明を省略する。
【０１６０】
図３４は、複数の閾値を用いた測定間隔の変更を示す図である。図３４において、図７に示した部分と同様の部分については同一の符号を付して説明を省略する。また、図３４においては、各ＵＥのｆｄ推定値とＴＡ値が常に等しいと仮定する。また、図３１に示した例では、ｆｄ閾値とＴＡ閾値は等しいため、ここではｆｄ推定値とＴＡ値のうちのｆｄ推定値について説明する。周期Ａ〜Ｏにおいては、ＵＥ数が３または４であるため、第一ｆｄ閾値はＰ３であり、第二ｆｄ閾値はＰ５である。
【０１６１】
ＵＥ＃２，＃３，＃４，＃５，＃８，＃９のｆｄ推定値は、それぞれ第一ｆｄ閾値「Ｐ３」より大きいＰ１，Ｐ１，Ｐ２，Ｐ２，Ｐ０，Ｐ１であるため、測定間隔が２サブフレームに設定される（負荷分散なし）。ここでは、ＵＥ＃２，＃３，＃４，＃５のｆｄ推定処理は周期Ｂ，Ｄ，…に割り当てられている。また、ＵＥ＃８，＃９のｆｄ推定処理は周期Ａ，Ｃ，…に割り当てられている。
【０１６２】
ＵＥ＃０，＃１のｆｄ推定値は、それぞれ第一ｆｄ閾値「Ｐ３」以下で第二ｆｄ閾値「Ｐ５」より大きいＰ３，Ｐ４であるため、測定間隔が４サブフレームに設定される（負荷分散あり）。ここでは、ＵＥ＃０のｆｄ推定処理は周期Ａ，Ｅ，…に割り当てられる。また、ＵＥ＃１のｆｄ推定処理は周期Ｃ，Ｇ，…に割り当てられている。
【０１６３】
ＵＥ＃６，＃７のｆｄ推定値はそれぞれ第二ｆｄ閾値「Ｐ５」以下のＰ５，Ｐ６であるため、測定間隔が６サブフレームに設定される。ここでは、ＵＥ＃６のＳＡＳ処理は周期Ａ，Ｇ，…に割り当てられる。また、ＵＥ＃７のＳＡＳ処理は周期Ｃ，Ｉ，…に割り当てられている。このように、ｆｄ推定値やＴＡ値などの通信品質を複数の閾値と比較し、比較結果に基づいて測定間隔を測定することで、測定処理の頻度を柔軟に変更することができる。これにより、通信品質の測定をより効率よく行うことができる。
【０１６４】
このように、実施の形態４にかかる基地局３００によれば、測定した通信品質と複数の品質閾値とを比較し、比較結果に基づいて測定処理の測定間隔を設定することで、測定処理の頻度を柔軟に変更することができる。これにより、通信品質の測定をより効率よく行うことができる。なお、ここではＵＥ数に応じて複数の品質閾値を切り替える場合について説明したが、複数の品質閾値を一定とする構成にしてもよい。
【０１６５】
以上説明したように、基地局および品質測定方法によれば、通信品質の測定を効率よく行うことができる。上述した実施の形態に関し、さらに以下の付記を開示する。
【０１６６】
（付記１）移動端末ごとの通信品質の測定を行う基地局において、
前記移動端末から送信される参照信号を受信する受信部と、
前記受信部によって受信された参照信号に基づいて、前記移動端末に設定された測定間隔で周期的に前記測定を行う測定部と、
前記測定部によって測定された通信品質に基づいて前記測定間隔を設定する設定部と、
を備えることを特徴とする基地局。
【０１６７】
（付記２）前記測定部によって測定された通信品質と品質閾値とを比較する比較部を備え、
前記設定部は、前記比較部による比較結果に基づいて前記測定間隔を設定することを特徴とする付記１に記載の基地局。
【０１６８】
（付記３）前記設定部は、前記比較部によって前記通信品質が品質閾値未満であると判定された移動端末の前記測定間隔に第一間隔を設定し、前記通信品質が品質閾値以上であると判定された移動端末の前記測定間隔に前記第一間隔より長い第二間隔を設定することを特徴とする付記２に記載の基地局。
【０１６９】
（付記４）前記測定部は、前記通信品質として前記参照信号に基づくフェージングを推定することを特徴とする付記１〜３のいずれか一つに記載の基地局。
【０１７０】
（付記５）前記測定部は、前記通信品質として前記参照信号に基づくＴＡ（Ｔｉｍｉｎｇ  Ａｄｊｕｓｔｍｅｎｔ）値を算出することを特徴とする付記１〜４のいずれか一つに記載の基地局。
【０１７１】
（付記６）前記移動端末の数に基づいて前記品質閾値を設定する閾値設定部を備え、
前記比較部は、前記閾値設定部によって設定された品質閾値と前記通信品質とを比較することを特徴とする付記２に記載の基地局。
【０１７２】
（付記７）前記閾値設定部は、前記移動端末の数が相対的に多い場合は、前記移動端末の数が相対的に少ない場合より前記品質閾値を低く設定することを特徴とする付記６に記載の基地局。
【０１７３】
（付記８）前記設定部は、前記移動端末の数が所定閾値以下の場合は前記測定間隔を前記第一間隔に設定することを特徴とする付記３に記載の基地局。
【０１７４】
（付記９）前記比較部は、前記通信品質と複数の品質閾値とを比較し、
前記設定部は、前記通信品質と複数の品質閾値との比較結果に基づいて前記測定間隔を設定することを特徴とする付記２に記載の基地局。
【０１７５】
（付記１０）移動端末ごとの通信品質の測定を行う基地局の品質測定方法において、
前記移動端末から送信される参照信号を受信する受信工程と、
前記受信工程によって受信された参照信号に基づいて、前記移動端末に設定された測定間隔で周期的に前記測定を行う測定工程と、
前記測定工程によって測定された通信品質に基づいて前記測定間隔を設定する設定工程と、
を含むことを特徴とする品質測定方法。
【符号の説明】
【０１７６】
＃０〜＃１０  ＵＥ
１００  通信システム
３０１  無線通信部
４０１，７０１，１５０１  ＳＲＳ処理間隔
【図１】
0005471343.tif 000002
【図２】
0005471343.tif 000003
【図３】
0005471343.tif 000004
【図４】
0005471343.tif 000005
【図５】
0005471343.tif 000006
【図６】
0005471343.tif 000007
【図７】
0005471343.tif 000008
【図８】
0005471343.tif 000009
【図９】
0005471343.tif 000010
【図１０】
0005471343.tif 000011
【図１１】
0005471343.tif 000012
【図１２】
0005471343.tif 000013
【図１３】
0005471343.tif 000014
【図１４】
0005471343.tif 000015
【図１５】
0005471343.tif 000016
【図１６】
0005471343.tif 000017
【図１７】
0005471343.tif 000018
【図１８】
0005471343.tif 000019
【図１９】
0005471343.tif 000020
【図２０】
0005471343.tif 000021
【図２１】
0005471343.tif 000022
【図２２】
0005471343.tif 000023
【図２３】
0005471343.tif 000024
【図２４】
0005471343.tif 000025
【図２５】
0005471343.tif 000026
【図２６−１】
0005471343.tif 000027
【図２６−２】
0005471343.tif 000028
【図２６−３】
0005471343.tif 000029
【図２７】
0005471343.tif 000030
【図２８】
0005471343.tif 000031
【図２９】
0005471343.tif 000032
【図３０】
0005471343.tif 000033
【図３１】
0005471343.tif 000034
【図３２】
0005471343.tif 000035
【図３３】
0005471343.tif 000036
【図３４】
0005471343.tif 000037